(57)【要約】      （修正有）【課題】記録媒体上のデータを簡単な手段で完全に読み取り不可能とする装置を提供する。【解決手段】記録媒体を収納するケースの保持手段と、該記録媒体にケースごとピンを貫通させるためのピン押し出し手段からなる記録媒体上のデータ破壊装置。【選択図】図１
0003108834.tif 000002
【実用新案登録請求の範囲】
【請求項１】
記録媒体をケースごと保持する手段と、先端部にピン保持部を有し、該ケース内の記録媒体に該ピンを貫通させるピン押し込み手段とからなる記録媒体上のデータ破壊装置。
【請求項２】
記録媒体をケースごと保持する手段と、該記録媒体にピンを貫通させるためのピン押し込み手段が、枠体により連結されている請求項１に記載の記録媒体上のデータ破壊装置。
【請求項３】
記録媒体をケースごと保持する手段が、横方向から出し入れ可能となっている請求項１又は２記載の記録媒体上データ破壊装置。
【請求項４】
ピン保持部が、先端部に形成された孔である請求項１ないし３のいずれかに記載の記録媒体上データ破壊装置。
【請求項５】
ピンがコンクリート用釘である請求項１ないし４のいずれかに記載の記録媒体上データ破壊装置。
【請求項６】
ピン押し込み手段の駆動源が、油圧である請求項１ないし５のいずれかに記載の記録媒体上データ破壊装置。
【請求項７】
記録媒体がパソコンのハードディスクである請求項１ないし６のいずれかに記載の記録媒体上データ破壊装置。
【請求項８】
記録媒体が携帯電話のメモリである請求項１ないし６のいずれかに記載の記録媒体上データ破壊装置。
【考案の詳細な説明】
【技術分野】
【０００１】
本考案は、ハードディスクやメモリなどの記憶媒体を内蔵する機器を廃棄するにあたり、該記憶媒体に記憶されたデータを読み取り不可能として、実質的に破壊するための装置に関する。
【背景技術】
【０００２】
近年、パソコンや携帯電話などの記憶媒体の容量が増大するに従い、大量のデータがコンパクトに記録できるようになってきた。一方、これら記憶媒体を組み込んだパソコンや携帯電話は、その記憶容量の増加や多機能化について依然として活発な開発が行われており、製品のライフサイクルが非常に短くなっているのが現状であり、大量のデータが記録媒体に記録されたパソコンや携帯電話を廃棄せざるを得ない状況となっている。
上記記憶媒体に大量のデータが記憶されたままこれらを廃棄することは、データの流出や悪用につながり、セキュリティの点で問題があった。
【０００３】
最近、このようなデータが外部に流出しないよう、あらかじめ記憶媒体に記憶されたデータを消去することが広く行われるようになっている。
記憶媒体に記憶されたデータは、機器の操作で簡単に消去できるが、これはコマンドにより呼び出し処理ができないだけで、記憶媒体上にデータはそのまま残っていることが多く、このようなデータは特殊なソフトウェアを使用することで読み取ることが可能である。
そこで、専用ソフトにより記憶媒体全体を固定パターンあるいは乱数などで一回以上、上書きすることにより塗りつぶしてデータを消す方法や、物理的に消去する方法として、記憶媒体自体を溶融する方法や物理的に破壊する方法が紹介（非特許文献参照）されている。
【０００４】
しかしながら、前者の方法では、一回の塗りつぶしでは完全に元データを消去することができず、複数回の塗りつぶしを必要とし、しかも近年の記憶媒体の大容量化に伴い、消去するため長時間を要するという問題がある。また、専用ソフトを使用するため記憶装置が稼動可能であることが前提であり、稼動しなくなった記憶装置について適用することができない。
後者の方法は、記憶装置が不稼動でも適用可能であるが、記憶装置を溶融するには大量のエネルギーを必要とし、一方、記憶装置を破壊するには大型の装置を必要とし、破砕することによる騒音・振動対策や新たな廃棄物処理が必要となるという問題がある。
【非特許文献１】「ストレージ上のデータ消去に関するガイドライン」社団法人電子情報技術産業協会（JEITA）  2004年7月
【考案の開示】
【考案が解決しようとする課題】
【０００５】
本考案の目的は、簡単な装置により短時間で、記憶装置に記憶されたデータを完全に読み取り不可能な状態とし、実質的にデータを破壊する装置を提供することにある。
【課題を解決するための手段】
【０００６】
本考案は、記憶媒体にピンを貫通させれば記憶媒体を駆動することができず、ケースから記憶媒体を取り出しても、該ピンの存在によりもはや記憶媒体上のデータを読み取ることは不可能となることに鑑み、本装置を考案したものである。
本考案の装置は、記録媒体をケースごと保持する手段と、該ケース内の記録媒体にピンを貫通させるためのピン押し込み手段からなる。
本考案の装置によれば、保持手段により記憶媒体をケースごと確実に保持するので、記憶媒体をケースから解体する必要がなく、しかもケース内に収容された記憶媒体に確実にピンを貫通させることができる。
保持手段は、ピンの貫通方向に対し記憶媒体をケースごと確実に保持できるものであればどのような構成でもよいが、多数の記憶媒体を連続して処理できるよう横方向から出し入れ可能な構成が好ましい。
該ピンの材質は、記憶媒体を貫通するだけの剛性を有しているものの中から適宜選択できるが、入手や加工の点から鋼が好ましく、市販されているコンクリート用の釘が利用できるのでコストが大幅に低減できる。
ピンの直径は、貫通させる記憶媒体の大きさにもよるが、通常のパソコンに使用されるハードディスクでは約３ｍｍ程度のものが好ましい。
ピンの押し込み手段は、先端にピンの保持部を有し、ピンをケース内の記憶媒体に対し直角方向に押し込めるものであればどのようなものでもよいが、取り扱いやすさや騒音の点から手動の油圧ジャッキが好ましい。油圧ジャッキ以外には、ねじジャッキも使用できる。
いずれの押し出し手段であっても、通常のパソコン用HDDの場合、約２トンの出力が得られれば、３ｍｍ径のピンを確実に貫通させることができる。
なお、ピンはケースを完全に貫通させる必要はなく、3分の2以上貫通させれば、ケース内に収納された記憶装置は完全に貫通するので、本考案の目的を達成することができる。
ピンの保持部は、ピンが挿入可能な孔からなり、ケース内の記憶媒体に対し直角方向に確実にピンを保持するような構成であればよく、ピンを固定する必要はない。すなわち、ピンを記憶媒体に貫通させた後、押し込み手段を後退させたとき、ピンは記憶媒体に貫通した状態で残るようにしておく。市販のコンクリート用釘を使用する場合には、釘の頭部から保持孔に挿入することになるため、ワッシャやパイプなどを釘の保持孔挿入部分に嵌合させ、前記孔に対し確実に保持させる必要がある。
携帯電話についても、ケースごとメモリ部分にピンを貫通させることにより同様な効果を得ることができる。
【０００７】
すなわち、本考案は次のような記録媒体上のデータ破壊装置に関する。
（１）記録媒体をケースごと保持する手段と、先端部にピン保持部を有し、該ケース内の記録媒体に該ピンを貫通させるピン押し込み手段とからなる記録媒体上のデータ破壊装置。
（２）記録媒体をケースごと保持する手段と、該記録媒体にピンを貫通させるためのピン押し込み手段が、枠体により連結されている請求項１に記載の記録媒体上のデータ破壊装置。
（３）記録媒体をケースごと保持する手段が、横方向から出し入れ可能となっている請求項１又は２記載の記録媒体上データ破壊装置。
（４）ピン保持部が、先端部に形成された孔である請求項１ないし３のいずれかに記載の記録媒体上データ破壊装置。
（５）ピンがコンクリート用釘である請求項１ないし４のいずれかに記載の記録媒体上データ破壊装置。
（６）ピン押し込み手段の駆動源が、油圧である請求項１ないし５のいずれかに記載の記録媒体上データ破壊装置。
（７）記録媒体がパソコンのＨＤＤである請求項１ないし６のいずれかに記載の記録媒体上データ破壊装置。
（８）記録媒体が携帯電話のメモリである請求項１ないし６のいずれかに記載の記録媒体上データ破壊装置。
【考案の効果】
【０００８】
本考案で使用するピンは、先端が尖っているので比較的小さな力で記憶媒体を貫通させることができ、装置が小型で済む。また、ピンを貫通させるだけなので短時間で処理が終了する。
したがって、本考案によれば、簡単な装置により迅速且つ確実に記憶媒体に記録されたデータを読み取り不能とすることができ、しかも、そのまま廃棄することができるので新たな廃棄物処理負担がない。
【考案を実施するための最良の形態】
【０００９】
以下、本考案の実施例を図面に基づいて説明するが、本考案の技術的範囲はこれに限定されるものではない。
図１は、装置の全体図で、ピン押し込み手段として油圧ジャッキ４を使用している。図１において、上下の梁２と支柱３から構成される枠体１により、記録媒体をケース７ごと保持する手段６と、該記録媒体にピンを貫通させるためのピン押し出し手段である油圧ジャッキ４が連結されている。保持手段６は、枠体１の支柱部３に設けられた一対の突起８と上部の梁２により構成され、記録媒体を収納するケース７は横方向から出し入れ可能となっている。油圧ジャッキ４は油圧駆動源５により駆動され、先端部が上方へ移動し、先端部に保持されたピン９が記録媒体をケース７ごと貫通する。
図２（Ａ）は、油圧ジャッキの先端部のピン保持部を拡大した図面であり、ピン９は油圧ジャッキの先端部の孔１０に嵌合されている。図２（Ｂ）は、ピンが記録媒体を収納するケースを貫通した状態を示す。
【００１０】
上記のような装置を使用し実際にノート型パソコンのハードディスクに記録されたデータを破壊する操作を説明する。油圧ジャッキとして、大阪ジャッキ社製（形式番号：Ｅ５Ｓ１．５、揚力５０ＫＮ）を使用し、ピンは、高炭素鋼＃１２、３ｍｍ径のコンクリート用釘をジャッキの先端部に形成した孔にセットし、ノート型パソコンから取り外したハードディスクをケースごと保持手段６にセットした。
油圧ジャッキの駆動源５を図示しないレバーを操作することにより油圧ジャッキ４を駆動し、ピンをノート型パソコン用ＨＤＤに押し込んだところ、ピンはディスクの基材であるガラスを破壊させながら完全に貫通した。
ピンが貫通したディスクは、もはや駆動させることができず、ディスク上のデータは読み取り不可能であった。また、ケースを分解しディスクを貫通したピンを取り除いたとしても、上述のようにディスクの基材であるガラス（アルミの場合も同様）が破壊されているので、やはりデータの読み取りは不可能であった。
【産業上の利用可能性】
【００１１】
本考案の装置を利用すれば、パソコン用のハードディスクや携帯電話のメモリなどに記録したデータを完全に破壊することができ、情報セキュリティの点から、社会的な要望も強い。
【図面の簡単な説明】
【００１２】
【図１】本考案の実施例の全体図。
【図２】本考案の実施例の一部拡大図で、ピンの貫通前と貫通後の状態を示す。
【図番の説明】
【００１３】
１：枠体、２：梁、３：支柱、４：油圧ジャッキ、５：油圧駆動源、６：保持手段、７：記憶装置を収納するケース、８：突起、９：ピン、１０：孔
【図１】
0003108834.tif 000003
【図２】
0003108834.tif 000004